(57)【要約】【課題】極めて少ないキーで、文字入力を容易に行うことを可能にすることにある。【解決手段】アルファベットや仮名文字等の入力対象となる文字群を複数のグループに分けて、各文字をグループに分けて表示し、この表示されている複数のグループのうちの１つが十字キーやペンのタッチで選択されると、この選択されたグループに複数の文字が含まれている場合は、更に複数のグループに分けて表示する。このような動作を繰り返して行い、最終的に選択されたグループに１つの文字が含まれている場合に、この文字を入力文字として確定するようにした。【選択図】      図４
2004192478.tif 000002
【特許請求の範囲】
【請求項１】
入力対象となる文字群を複数のグループに分けて、各グループを表示する文字グループ表示手段と、
この文字グループ表示手段で表示されている複数のグループのうちの１つを選択するグループ選択手段と、
このグループ選択手段で選択されたグループに複数の文字が含まれている場合は、更に複数のグループに分けて表示する分配表示手段と、
前記グループ選択手段で選択されたグループに１つの文字が含まれている場合に、この文字を入力文字として確定する文字確定手段とを具備したことを特徴とする文字入力装置。
【請求項２】
前記グループ選択手段は複数方向に押圧操作される多接点キーであることを特徴とする請求項１に記載の入力装置。
【請求項３】
前記グループ選択手段はペン入力手段であることを特徴とする請求項１に記載の入力装置。
【請求項４】
前記複数の文字はアルファベットもしくはかな文字であることを特徴とする請求項１に記載の入力装置。
【請求項５】
入力対象となる多数の文字データを複数のグループに分けて表示し、この表示された複数のグループのうちの一つを選択させ、この選択により選択されたグループに文字データが複数含まれる場合には更に複数のグループに分けて表示することを繰り返して行い、最終的に１文字を含むグループが選択された場合に当該文字データを入力文字として確定する文字の入力方法。
【発明の詳細な説明】
【０００１】
【発明の属する技術分野】
本発明は、携帯端末装置の文字入力装置及び文字の入力方法に関する。
【０００２】
【従来の技術】
従来、携帯電話機においては、文字入力の方法として番号入力用のキーに各行を割り当てると言う技術が知られている（例えば、特許文献１参照。）。図１３は上記特許文献１のキー配列を示した図である。即ち「２」〜「９」の番号入力用のキーに「ＡＢＣ」〜「ＷＸＹＺ」の各行を割り当てている。この携帯電話機において文字を入力する場合、操作者は、入力したい文字に対応するキーを探し、入力文字に対応するキーを１回または数回押すことで文字を選択して入力する。たとえば、「Ｄ」を入力したいときは、英文字入力モードキー４０２を押して文字文字入力モードに表示を切り替えて、「３」キー４０４を１回押し、次に「Ｅ」を入力したいときは、「３」キー４０４を２回押すことにより「Ｅ」文字の入力を行うもので、表示部４０３には入力された文字が表示される。
【０００３】
【特許文献１】
特開平２００２−４９４６０号公報（図６、図８。）
【０００４】
【発明が解決しようとする課題】
しかしながら、このような携帯電話機でのキーによる文字入力方法手段では、英文字入力の為に、多数のキーを設けなければならず、キーを配置する大きなスペースが必要になり装置が大きくなってしまうという問題点があった。また入力文字がどのキーに対応するのかを探し多数回キーを押さなければならず、操作が煩雑になるという問題点があった。
【０００５】
本発明の目的は、上記従来技術による問題点を解決するためになされたもので、極めて少ないキーで、文字入力を容易に行うことが可能な文字入力装置及び文字の入力方法を提供することにある。
【０００６】
【課題を解決するための手段】
上記目的を達成するため、請求項１に記載された文字入力装置は、入力対象となる文字群を複数のグループに分けて、各グループを表示する文字グループ表示手段と、この文字グループ表示手段で表示されている複数のグループのうちの１つを選択するグループ選択手段と、このグループ選択手段で選択されたグループに複数の文字が含まれている場合は、更に複数のグループに分けて表示する分配表示手段と、前記グループ選択手段で選択されたグループに１つの文字が含まれている場合に、この文字を入力文字として確定する文字確定手段とを備えるものとした。
【０００７】
請求項２に記載された入力装置の文字グループ選択手段は、複数方向に押圧操作される多接点キーを備えたことを特徴としている。
【０００８】
請求項３に記載された入力装置の文字グループ選択手段は、ペン入力手段であることを特徴としている。
【０００９】
請求項４に記載された入力装置の複数の文字グループは、アルファベットもしくはかな文字であることを特徴としている。
【００１０】
請求項５に記載された入力方法は、入力対象となる多数の文字データを複数のグループに分けて表示し、この表示された複数のグループのうちの一つを選択させ、この選択により選択されたグループに文字データが複数含まれる場合には更に複数のグループに分けて表示することを繰り返して行い、最終的に１文字を含むグループが選択された場合に当該文字データを入力文字として確定することを特徴としている。
【００１１】
【発明の実施の形態】
以下、図面を参照して本発明の実施の形態を説明する。
【００１２】
図１は本発明の実施の形態による携帯端末装置１の構成を示す正面図である。図１に示す様に携帯端末装置１は、本体ケース１１、表示部１２、十字キー１３、入力ペン１４、後述する字種選択キー１５及び他の機能制御キー１６等から構成されている。表示部１２は、上面に透明パネルが備えられたタッチパネル液晶表示装置などで構成され、入力ペン１４で上面をタッチすることにより文字入力が可能となっている。十字キー１３は、上面にスイッチ入力の為の方向指示の印刷１７ａ、１７ｂ、１７ｃ、１７ｄが施されている。そして上下左右に傾けることにより夫々のスイッチ入力がなされる４接点の多接点キーであり右方向に傾けることにより右方向キー１７ｄ入力がなされ、下方向に傾けることにより下方向キー１７ｃ入力、左方向に傾けることにより左方向キー１７ｂ入力、及び上方向に傾けることにより上方向キー１７ａ入力がなされる様に構成されている。
【００１３】
図２は、上記携帯端末装置１の全体構成を示したブロック図である。ＣＰＵ２０は後述するＲＡＭ２１内にロードされている各種プログラムにしたがい、携帯端末装置１の全体動作を制御する中央演算装置である。記憶部２２はオペレーティングシステムや各種アプリケーション等のプログラム、データファイル、文字フォントデータ等が予め格納されている不揮発性メモリからなる。この記憶部２２に記憶されているプログラムやデータは、必要に応じてＣＰＵ２０の制御によりＲＡＭ２１にそれぞれロードされる。入力部２３は上述した、透明パネル、十字キー１３、字種選択キー１５、その他の機能制御キー１６からなり、表示部１２は、これらのキーによって入力された文字データ或いはＣＰＵ２０で処理された情報を表示する。
【００１４】
ＲＡＭ２１は、記憶部２２からロードされたプログラムを記憶するプログラムエリア２１ａと、ワークエリア２１ｂ及びデータエリア２１ｃからなる。ワークエリア２１ｃは入力部２３の文字入力或いは、機能制御によって処理されるデータを一時記憶する作業エリアであり、データエリア２１ｃは、選択された文字や、表示データ等を記憶するエリアである。次に上記の如く構成された本実施例の形態における文字入力の動作を説明する。
【００１５】
まず、字種選択キー１５の操作によって入力すべき文字の字種、即ち、アルファベット入力か、ひらがな入力か、カタカナ入力か等を選択した後文字入力を開始する。図３は、アルファベットの文字を入力する時の動作を示したフローチャートである。前記字種選択キー１５でアルファベット入力が選択されると、キー入力待ち状態となり、ステップＳ３１では、十字キー１３による文字の選択をさせる為の画面を表示させる。図４（Ａ）はステップＳ３１におけるこの表示例で、表示部１２にはアルファベット文字が４つの表示グループに分けられて夫々枠を伴って十字キー１３の印刷１７ａ乃至１７ｄに対応する位置に表示される。即ち、１つ目の「ＡＢＣＤＥＦＧ」の文字グループ３２は上方向キー１７ａ、２つ目の「ＨＩＪＫＬＭＮ」の文字グループ３１は右方向キー１７ｄ、３つ目の「ＯＰＱＲＳＴＵ」の文字グループ３３及び４つ目の「ＶＷＸＹＺ」の文字グループ３４は夫々左方向キー１７ｄ及び下方向キー１７ｃに対応する位置に表示される。また図４（Ａ）では文字列３５の「ＢＯＸ＿」が表示されているが、これは後述する如く「ＢＯＸ」の文字が既に入力された状態の場合に表示されるもので、初期状態においては、「ＢＯＸ」の文字は表示されずカーソル３５ａのみが表示される。
【００１６】
ステップＳ３２は、どの方向の十字キーが押されたかを判断する入力処理である。図７は、このステップＳ３２の入力処理の詳細なフローチャートである。
図７においてステップＳ７１は、十字キー１３の入力の有無を判断するステップで、十字キー１３が押されると入力有りと判断し、ＹＥＳとされて次のステップＳ７２に進み、上方向キー１７ａの入力か否かの判断をする。上方向キー１７ａが入力された場合、このステップＳ７２で、ＹＥＳと判断されて、図３のステップＳ３３に進むが、ＮＯの場合はステップＳ７３に進み、右方向キー１７ｄが入力されたか否かを判断する。右方向キー１７ｄが入力された場合は、図３のステップＳ３４に進むが、右方向キー１７ｄの入力でない場合には、ステップＳ７４に進み下方向キー１７ｃの入力か否かが判断される。下方向キー１７ｃの入力であった場合には、図３のステップ３５に進むが、下方向キー１７ｃでないと判断された場合には、左方向キー１７ｂの入力であるとして詳細を後述する図６のフローに進む。
【００１７】
上記図７のステップＳ７２で上方向のキー入力であると判断された場合の図３のステップＳ３３では、図４（Ａ）で示した表示内容の表示切替が行われる。即ち、図４（Ａ）に示す表示状態で、十字キー１３の上方向キー１７ａが操作されたことは、図４（Ａ）の４つのグループのうち上方向キー１７ａに対応して表示されている第一のグループ３２が選択されたものと判断し、第一のグループ３２の「ＡＢＣＤＥＦＧ」を更に複数のグループに切替表示する。図４（Ｂ）はこの表示例を示し、選択された文字グループ３２の「ＡＢＣＤＥＦＧ」を、「ＡＢＣ」の文字グループ３６と、「ＤＥＦ」の文字グループ３７と、「Ｇ」の文字グループ３８とに分けて表示する。文字グループ３９は表示枠のみを画面に表示する。このステップ３３での表示がなされると、次のステップＳ３６に進む。
ステップＳ３６は、十字キー１３がどの方向に押されたかを判断する入力処理であり、上述したステップＳ３２と同様の処理、即ち、図７の処理が行われる。然して上方向キー１７ａが押された場合、図７のステップＳ７２で、ＹＥＳと判断され、図３のステップＳ３６に戻るが、ＮＯの場合はステップＳ７３に進む。右方向キー１７ｄが入力された場合は、図３のステップＳ４３に進む。右方向キーでない場合には、ステップＳ７４に進み、下方向キー１７ｃの入力であった場合には、図３のステップＳ３７に進むが、下方向キー１７ｃでないと判断された場合には左方向キー１７ｂの入力であるとしてステップＳ３８に進む。
【００１８】
ステップ３７では、図４（Ｂ）に示す表示状態で、下方向キー１７ｃが操作されたことは、図４（Ｂ）に示す文字グループ３７が選択されたものと判断する。選択された文字グループ３７に含まれる文字は「Ｇ」の１文字であるのでこの「Ｇ」の文字を入力文字として確定する。図４（Ｄ）はこの表示例を示し、文字列「ＢＯＸ＿」３５のカーソル３５ａが位置する行に文字「Ｇ」が入力され、カーソル３５ａは入力された文字「Ｇ」の次の行に移動し、文字列「ＢＯＸＧ＿」５４の表示が画面に表示される。
一方、上記図７のステップＳ７４で、左方向キー１７ｂであると判断された場合の図３のステップＳ３８では、図４（Ｂ）で示した表示内容の表示切替が行われる。図４（Ｂ）に示す表示状態で、十字キー１３が左方向に操作されたことは、図４（Ｂ）の４つのグループのうち第二の文字グループ３６が選択されたものと判断し、第二の文字グループ３６の「ＡＢＣ」を切替表示する。図４（Ｃ）はこの表示例を示し、選択された文字グループ３６「ＡＢＣ」を、「Ａ」の文字グループ４０と、「Ｂ」の文字グループ４１と、「Ｃ」の文字グループ４２とに分けて表示する。文字グループ４３は表示枠のみを画面に表示し、このステップＳ３８での表示がなされると、次のステップＳ３９に進む。
【００１９】
ステップＳ３９は、どの方向の十字キーが押されたかを判断する入力処理であり、図７の処理がなされる。即ち、上方向キー１７ａが操作されると、図７のステップＳ７２で、ＹＥＳと判断されて、図３のステップＳ４０に進むが、ＮＯの場合はステップＳ７３に進む。右方向キー１７ｄが入力された場合は、図３のステップＳ４１に進む。右方向キー１７ｄでないと判断された場合はステップＳ７４に進み、下方向キー１７ｃの入力である場合は、図３のステップＳ４２に進むが、下方向キー１７ｃでないと判断された場合には左方向キー１７ｂの入力であるとしてステップＳ３９に戻る。
【００２０】
ステップ４０では、図４（Ｃ）に示す表示状態で、上方向キー１７ａが操作されたことは、図４（Ｃ）の文字グループ４０が選択されたものと判断する。この選択された文字グループ４０に含まれる文字は「Ａ」の１文字である為、この「Ａ」の文字を入力文字として確定する。図４（Ｅ）はこの表示例を示し、文字列「ＢＯＸ＿」３５のカーソル３５ａが位置する行に文字「Ａ」が入力され、カーソル３５ａは入力文字「Ａ」の次の行に移動し、文字列「ＢＯＸＡ＿」５５の表示が画面に表示される。右方向キー１７ｄが押された場合の図３のステップＳ４１では、図４（Ｃ）の文字グループ４１が選択さたものと判断する。この文字グループ４１に含まれる文字は「Ｂ」の１文字である為、この文字「Ｂ」を入力文字として確定する。図４（Ｆ）はこの表示例を示し、文字列「ＢＯＸ＿」３５のカーソル３５ａが位置する行に文字「Ｂ」が入力され、カーソル３５ａは入力された文字「Ｂ」の次の行に移動し、文字列「ＢＯＸＢ＿」５３の表示が画面に表示される。図３のステップ３９で、下方向キー１７ｃが押された場合には、図４（Ｃ）の文字グループ４２の「Ｃ」が選択されたものと判断する。文字グループ４２に含まれる文字は「Ｃ」の１文字である為、この文字「Ｃ」を入力文字として確定する。図４（Ｇ）はこの表示例を示し、文字列「ＢＯＸ＿」３５のカーソル３５ａが位置する行に文字「Ｃ」が入力され、カーソル３５ａは入力された文字「Ｃ」の次の行に移動し、文字列「ＢＯＸＣ＿」５６の表示が画面に表示される。
【００２１】
ステップＳ３６で、右方向キー１７ｄであると判断された場合の図３のステップＳ４３では、図４（Ｂ）で示した表示内容の表示切替が行われる。図４（Ｂ）に示す表示状態で、十字キー１３が右方向に操作されたことは、図４（Ｂ）の４つのグループのうち第二の文字グループ３８が選択されたものと判断され、第二の文字グループ３８の「ＤＥＦ」を切替表示する。図５（Ａ）はこの表示例を示し、選択された文字グループ３８の「ＤＥＦ」を、「Ｄ」の文字グループ７０と、「Ｅ」の文字グループ７１と、「Ｆ」の文字グループ７２とに分けて表示する。文字グループ７３は表示枠のみを画面に表示し、次のステップＳ４４に進む。
【００２２】
ステップＳ４４は、図７に示した、どの方向の十字キーが操作されたかを判断する入力処理である。図７のフローチャートで上方向キー１７ａが操作された場合、図７のステップＳ７２で、ＹＥＳと判断されて、図３のステップＳ４５に進むが、ＮＯの場合はステップＳ７３に進む。右方向キー１７ｄが入力された場合は、図３のステップＳ４６に進む。右方向キーでないと判断された場合は、ステップＳ７４に進み、下方向キー１７ｃの入力であった場合は、図３のステップＳ４７に進むが、下方向キー１７ｃでないと判断された場合は左方向キー１７ｂの入力であるとしてステップＳ４４に戻る。
【００２３】
ステップＳ４５は、図５（Ａ）に示す表示状態で、上方向キー１７ａが操作されたことは、図５（Ａ）の文字グループ７０の「Ｄ」が選択されたものと判断され、この「Ｄ」の文字を入力文字として確定する。図５（Ｂ）はこの表示例を示し、文字列「ＢＯＸ＿」３５のカーソル３５ａが位置する行に文字「Ｄ」が入力され、カーソル３５ａは入力文字「Ｄ」の次の行に移動し、文字列「ＢＯＸＤ＿」５７の表示が画面に表示され、このステップ４５での表示がなされる。右方向キー１７ｄが押された場合の図３のステップＳ４６では、図５（Ｅ）の文字グループ７１の「Ｅ」が選択さたものと判断する。文字グループ７１に含まれる文字「Ｅ」は１文字である為、この文字「Ｅ」を入力文字として確定する。図５（Ｃ）はこの表示例を示し、文字列「ＢＯＸ＿」３５のカーソル３５ａが位置する行に文字「Ｅ」が入力され、カーソル３５ａは入力された文字「Ｅ」の次の行に移動し、文字列「ＢＯＸＥ＿」５８の表示が画面に表示され、このステップＳ４６での表示がなされる。図３のステップ４４で、下方向キー１７ｃが押された場合には、文字グループ７２の「Ｆ」が選択されたものと判断する。文字グループ７２に含まれる文字は「Ｆ」の１文字である為、この文字「Ｆ」を入力文字として確定する。図５（Ｄ）はこの表示例を示し、文字列「ＢＯＸ＿」３５のカーソル３５ａが位置する行に文字「Ｆ」が入力され、カーソル３５ａは入力された文字「Ｆ」の次の行に移動し、文字列「ＢＯＸＦ＿」５９の表示が画面に表示される。
【００２４】
図３のステップＳ３２において、左方向キー１７ｂが押されると図５のステップＳ５１に進む。この図５のフローのステップＳ５１は、図４（Ａ）に示す表示状態で、十字キー１３が左方向に操作されたことは、図４（Ａ）の４つのグループのうち文字グループ３１が選択されたものと判断し、文字グループ３１の「ＨＩＪＫＬＭＮ」を複数のグループに切替表示する。図８（Ａ）はこの表示例を示し選択された文字グループ３１の「ＨＩＪＫＬＭＮ」を「ＨＩＪ」の文字グループ７４と、「ＫＬＭ」の文字グループ７５と、「Ｎ」の文字グループ７６とに分けて表示する。文字グループ７７は表示枠のみを画面に表示する。
【００２５】
次のステップＳ５２は、図７のどの方向の十字キーが押されたかを判断する入力処理である。右方向キー１７ｄが操作されると、ステップＳ５９に進み、左方向キー１７ｂが操作された場合は、ステップＳ５３に進み、下方向キー１７ｃが操作された場合は、ステップＳ５４に進み、上方向キー１７ａが操作された場合は、ステップＳ５２に戻る。ステップＳ５４では、図８（Ａ）に示す表示状態で、下方向キー１７ｃが操作されたことは、図８（Ａ）に示す文字グループ７６が選択されたものと判断する。選択された文字グループ７６に含まれる文字は「Ｎ」で１文字である為、この「Ｎ」の文字を入力文字として確定する。図６（Ｂ）はこの表示例を示し文字列「ＢＯＸ＿」３５のカーソル３５ａが位置する行に文字が入力表示され、カーソル３５ａは、入力された文字「Ｎ」の次の行に移動し、文字列「ＢＯＸＮ」６０の表示が画面に表示される。
【００２６】
ステップＳ５３は、図８（Ａ）で示した表示内容の表示切替が行われる。図８（Ａ）に示す表示状態で、左方向キー１７ｂが操作されると、図８（Ａ）の文字グループ７４が選択されたものと判断し、文字グループ７４の「ＨＩＪ」を切替表示する。図８（Ｃ）はこの表示例を示し、選択された文字グループ７４を、「Ｈ」の文字グループ７８と、「Ｉ」の文字グループ７９と、「Ｊ」の文字グループ８０とに分けて表示する。文字グループ８１は表示枠のみを画面に表示し、次のステップＳ５５に進む。
【００２７】
ステップ５５は、図７のどの方向の十字キーが操作されたかを判断する入力処理のフローである。上方向キー１７ａが操作されるとステップＳ５６に進み、右方向キー１７ｄが操作されるとステップＳ５７に進む。下方向キー１７ｃが操作されたと判断されると、ステップ５８に進む。左方向キー１７ｂが操作されるとステップＳ５５に戻る。
ステップＳ５６は、図８（Ｃ）に示す表示状態で、上方向キー１７ａが操作されて図８（Ａ）の文字グループ７８が選択されたものと判断する。この選択された文字グループ７８に含まれる文字は「Ｈ」の１文字である為、この「Ｈ」の文字を入力文字として確定する。図８（Ｄ）はこの表示例を示し、文字列「ＢＯＸ＿」３５のカーソル３５ａが位置する行に文字「Ｈ」が表示され、カーソル３５ａは入力された文字「Ｈ」の次の行に移動し、文字列「ＢＯＸＨ＿」６１が画面に表示される。
ステップＳ５５で、右方向キー１７ｄが操作された場合は、図８（Ｃ）の文字グループ７９が選択されたものと判断する。選択された文字グループ７９に含まれる文字は「Ｉ」の１文字であるため、この文字「Ｉ」を入力文字として確定する。図８（Ｅ）は、この表示例を示している。
ステップＳ５８で、下方向キー１７ｃが操作された場合は、図８（Ｃ）の文字グループ８０が選択されたものと判断する。選択された文字グループ８０に含まれる文字は「Ｊ」の１文字であるため、この文字「Ｊ」を入力文字として、確定する。図８（Ｆ）は、この表示例を示している。
【００２８】
ステップＳ５２で、右方向キー１７ｄであると判断された場合の図６のステップＳ５９では、図８（Ａ）で示した表示内容の表示切替が行われる。図８（Ａ）に示す表示状態で、十字キー１３が右方向に操作されたことは、図８（Ａ）の文字グループ７５が選択されたものと判断し、文字グループ７５の「ＫＬＭ」を切替表示する。図８（Ｇ）はこの表示例を示し、選択された文字グループ７５を、「Ｋ」の文字グループ８２と、「Ｌ」の文字グループ８３と、「Ｍ」の文字グループ８４とに分けて表示し、次のステップＳ６０に進む。
【００２９】
ステップ６０は、どの方向の十字キーが操作されたかを判断する入力処理のフローである。上方向キー１７ａが操作されるとステップＳ６１に進み、右方向キー１７ｄが操作された場合、ステップＳ６２に進む。下方向キー１７ｃが操作されたと判断されるとステップ６３に進む。左方向キー１７ｂが操作された場合は、ステップＳ６０に戻る。
ステップＳ６１では、図８（Ｇ）に示す表示状態で上方向キー１７ａが操作された時、文字グループ８２が選択されたものと判断する。選択された文字グループ８２に含まれる文字は「Ｋ」の１文字である為、この「Ｋ」の文字を入力文字として確定する。図６（Ｈ）はこの表示例を示している。
ステップＳ６０で、右方向キー１７ｄが操作された場合は、図８（Ｇ）の文字グループ８３が選択されたものと判断する。選択された文字グループ８３に含まれる文字は「Ｌ」の１文字であるため、この文字「Ｌ」を入力文字として確定する。図８（Ｉ）は、この表示例を示している。
ステップＳ６３で、下方向キー１７ｃが操作された場合は、図８（Ｇ）の文字グループ８４が選択されたものと判断する。選択された文字グループ８４に含まれる文字は、「Ｍ」の１文字であるため、この文字「Ｍ」を入力文字として確定する。図８（Ｊ）は、この表示例を示している。
【００３０】
尚、図３のステップＳ３４の「右方向処理」とステップＳ３５の「下方向処理」は、上述した十字キーによるアルファベットの文字入力操作と同様な操作のため、図示及び説明は省略する。
この様に、上記の実施の形態では、アルファベット文字を複数のグループに分けて表示させ、グループの１つを十字キー１３で選択することによって、選択されたグループの文字を順次分配して表示させ最終的に１つの文字を選択する様に構成してあるので、十字キー１３だけで文字入力が可能である。
【００３１】
図１０は、入力ペン１４でアルファベットの文字を入力する様にしたもので、例えば「Ｂ」を入力する時の操作を示したフローチャートである。ステップＳ８１では、入力ペン１４よる文字選択をさせる為の画面を表示させるステップである。図１１（Ａ）は、ステップＳ８１における表示例で、表示部１２には、４つの表示グループが夫々枠を伴って表示される。１つ目の「ＡＢＣＤＥＦＧ」の文字グループ１０５、２つ目の「ＨＩＪＫＬＭＮ」の文字グループ１０６、３つ目の「ＯＰＱＲＳＴＵ」の文字グループ１０７及び４つ目の「ＶＷＸＹＺ」の文字グループ１０８が表示される。また図１１（Ａ）では文字列３５の「ＢＯＸ＿」が表示されているが、これは「ＢＯＸ」の文字が入力された状態の場合に表示されるもので、初期状態においては、「ＢＯＸ」の文字は表示されずカーソル３５ａのみが表示される。
【００３２】
図１０のステップＳ８２は、入力ペン１４で画面に表示されている文字グループの表示画面の上面をタッチし、文字グループを選択するステップである。文字「Ｂ」を入力する時は、入力ペン１４で文字「Ｂ」が含まれる文字グループ１０５の上面をタッチする。
次のステップＳ８３では、タッチされた文字グループ１０５を更に複数のグループに切替表示する。図１１（Ｂ）はこの表示例を示し選択された文字グループ１０５を、「ＡＢＣ」の文字グループ１１０と、「ＤＥＦ」の文字グループ１１２と、「Ｇ」の文字グループ１１１に分配して表示する。文字グループ１１３は表示枠のみを画面に表示し次のステップＳ８４に進む。
ステップＳ８４は、更に入力ペン１４で入力する文字「Ｂ」が含まれる文字グループを選択するステップであり文字「Ｂ」が含まれる文字グループ１１０の上面を入力ペン１４でタッチし、次のステップＳ８５に進む。
ステップ８５は、タッチされた文字グループ１１４を切替表示するステップである。図１１（Ｃ）はこの表示例を示し、選択された文字グループ１１０を「Ａ」の文字グループ１１５と、「Ｂ」の文字グループ１１６と、「Ｃ」の文字グループ１１７に分けて表示する。文字グループ１０８は表示枠のみを画面に表示する。このステップＳ８５での表示がなされた後は、次のステップＳ８６に進む。ステップＳ８６は、入力ペン１４で、入力する文字「Ｂ」が含まれる文字グループを選択するステップで、図１１（Ｄ）がこの表示例である。文字グループ「Ｂ」１１９が表示されている画面の上面、例えばＸで示す位置２００を入力ペン１４でタッチし、文字グループ１１９が選択される。
次のステップＳ８７では、選択された文字グループ１１９に含まれる文字「Ｂ」を入力文字として確定する。これにより文字列「ＢＯＸ」の次の位置に文字「Ｂ」が入力され、カーソル３５ａは入力された文字「Ｂ」の次の行に移動する。この様に、タッチ入力によっても順次複数の文字を分配表示させて、所望の文字を入力することが可能である。
【００３３】
図１２は、図４に示した十字キー１３で、ひらがなを入力する時の説明図であり、「き」を入力する例を示している。尚、ひらがな入力処理のフローチャートは、アルファベットの文字を入力する動作と同様のため省略する。
図１２（Ａ）では、十字キー１３で文字グループを選択させる画面を表示させる。表示部１２には、５０音の各行の先頭文字が４つの表示グループに分けられて夫々枠を伴って表示される。即ち、１つ目の「あかさ」の文字グループ３０２、２つ目の「たなは」の文字グループ３０３、３つ目の「まやら」の文字グループ３０４、４つ目の「わをん」の文字グループ３０５が表示される。表示部１２上方には文字列「てん＿」３０１が表示されているが、これは「てん＿」の文字が入力された状態の場合に表示されるもので、初期状態においては、「てん＿」の文字は表示されず、カーソル３０１ａのみが表示される。図１２（Ａ）に示す表示状態で、十字キー１３の上方向キー１７ａが操作されると、図１２（Ａ）の文字グループ３０２が選択されたものと判断し、文字グループ３０２の「あかさ」を切替表示する。図１２（Ｂ）はこの表示例を示し、選択された文字グループ３０２を、「あ」の文字グループ３０６と、「か」の文字グループ３０７と、「さ」の文字グループ３０８に分けて表示する。文字グループ３０９は表示枠のみを画面に表示する。次に図１２（Ｂ）に示す表示状態で、十字キー１３の右方向キー１７ａが操作されると、文字グループ「か」３０７が選択される。この選択された文字グループ３０７は５０音の「か」行（「かきくけこ」）である。この「か」行の５文字を更に新しい複数の文字グループに分けて表示する。
図１２（Ｃ）は、この表示例を示し、選択された「か」行の「かきくけこ」を、「かき」の文字グループ３１０と、「くけ」の文字グループ３１１と、「こ」の文字グループ３１２に分けて表示する。文字グループ３１３は、表示枠のみを画面に表示する。次に図１２（Ｃ）に示す表示で、上方向キー１７ａが操作されると、文字グループ３１０が選択されたものと判断し、文字「かき」３１０を、図１２（Ｄ）に示す様に文字グループ「か」３１４と、文字グループ「き」３１５に分けて表示する。文字グループ３１６と、文字グループ３１７は表示枠のみを画面に表示する。次に図１２（Ｄ）に示す表示で、右方向キー１７ａが操作されると、文字グループ３１５が選択されたものと判断する。この選択された文字グループ３１５に含まれる文字は「き」で１文字である。この「き」の文字を入力文字として確定する。図１２（Ｅ）はこの表示例を示し、図１２（Ａ）の文字列「てん＿」３０１のカーソル３０１ａが位置する行に文字「き」が入力され、カーソル３０１ａは入力された文字「き」の次の行に移動し、文字列「てんき＿」３１８の表示が画面に表示される。この様にして、他のひらがなも同様の操作により順次入力を行うことができる。
【００３４】
尚、本発明は、上述した実施形態に限定されることなく、種々の改良、変更が可能である。
例えば、携帯電話だけでなく通常の家庭用の電話、ページャー、ＰＤＡ（パーソナル・デジタル・アシスタンツ）、パーソナルコンピュータ等入力装置を備えた電子機器に適応が可能である。
【００３５】
【発明の効果】
以上詳細に説明したように、本発明は、多数の文字を複数のグループに分けて表示し、この複数のグループのうちの１つを選択し、更に選択したグループの文字を更に複数に分けて表示することを繰り返して、文字を入力する様にしたので、グループの１つを選択する手段を用いるだけで文字の入力が出来、キーを配置する大きなスペースが不要となり、表示を大きく、広く使うことができる。
【図面の簡単な説明】
【図１】本発明の実施の形態による携帯端末装置１の外観を示す図。
【図２】図１の携帯端末装置１の回路構成を示すブロック図。
【図３】図１の実施の形態に係る十字キーで、アルファベットの文字を入力するフローチャート。
【図４】図３の文字入力処理フローチャートに係る文字入力の表示状態図。
【図５】同じく文字入力の表示状態図
【図６】十字キーで、アルファベットの文字を入力するフローチャート。
【図７】同じく文字入力のフローチャート。
【図８】同じく文字入力の表示状態図。
【図９】同じく文字入力の表示状態図。
【図１０】同じく文字入力のフローチャート。
【図１１】同じく文字入力の表示状態図。
【図１２】図１２は本発明の第二実施例に係るかな文字を入力する場合の表示画面の説明図。
【図１３】従来の携帯電話機の説明図。
【符号の説明】
１  携帯端末装置
１２  表示部
１３  十字キー
１４  入力ペン
１７ａ  上方向キー
１７ｂ  左方向キー
１７ｃ  下方向キー
１７ｄ  右方向キー
２０  ＣＰＵ
２１  ＲＡＭ
２１ａ  プログラムエリア
２１ｂ  ワークエリア
２１ｃ  データエリア
２２  記憶部
２３  入力部
【図１】
2004192478.tif 000003
【図２】
2004192478.tif 000004
【図３】
2004192478.tif 000005
【図４】
2004192478.tif 000006
【図５】
2004192478.tif 000007
【図６】
2004192478.tif 000008
【図７】
2004192478.tif 000009
【図８】
2004192478.tif 000010
【図９】
2004192478.tif 000011
【図１０】
2004192478.tif 000012
【図１１】
2004192478.tif 000013
【図１２】
2004192478.tif 000014
【図１３】
2004192478.tif 000015